(57)【特許請求の範囲】
【請求項１】
洋式便器の便蓋の上面を覆うように装着されるカバー本体と、前記カバー本体の後方両側部を便蓋の後方両側部に係合させるため前記カバー本体の裏面後部の両側部に付設された係合部材と、前記係合部材を便蓋に係止するため当該係合部材に弾性部材を介して取り付けられたフックと、を備えたことを特徴とする便蓋カバー。
【請求項２】
前記カバー本体の裏面後縁部に沿って帯状の弾性部材を付設したことを特徴とする請求項１記載の便蓋カバー。
【請求項３】
洋式便器の便座を覆うタイプの便蓋に装着される便蓋カバーであって、
前記便蓋の上面を覆うように装着されるカバー本体と、前記カバー本体の前縁部で便蓋の前縁部を包み込み前記カバー本体の前縁部を前記便蓋の前縁部裏面に沿って係止するため当該カバー本体の前縁部に沿って付設された弾力的復元性を有するフィット部材と、を備えたことを特徴とする便蓋カバー。
【請求項４】
洋式便器の便蓋の上面を覆うように装着されるカバー本体と、前記カバー本体の後方両側部を便蓋の後方両側部に係合させるため前記カバー本体の裏面後部の両側部に付設された係合部材と、前記係合部材を便蓋に係止するため当該係合部材に弾性部材を介して取り付けられたフックと、
前記カバー本体の裏面後縁部に沿って付設された帯状の弾性部材と、
前記カバー本体の前縁部を便蓋の前縁部裏面に係止するため当該カバー本体の前縁部に沿って付設された弾力的復元性を有するフィット部材と、を備えたことを特徴とする便蓋カバー。
【請求項５】
洋式便器の便蓋を上面側から覆うように装着されるカバー本体と、前記カバー本体の裏面の後部および側部にその基端を位置変更可能に取り付けられた伸縮可能または長さ変更可能な係止部材と、前記係止部材の先端に取り付けられたフックと、を備えたことを特徴とする便蓋カバー。
【請求項６】
洋式便器の便蓋を上面側から覆うように装着されるカバー本体と、前記カバー本体の裏面の後部および側部にその基端部を位置変更可能に取り付けられた伸縮可能または長さ変更可能な係止部材と、前記係止部材の先端に取り付けられたフックと、
前記カバー本体の前縁部を便蓋の前縁部裏面に係止するため当該カバー本体の前縁部に沿って付設された弾力的復元性を有するフィット部材と、を備えたことを特徴とする便蓋カバー。
【請求項７】
洋式便器の便蓋の上面を覆うように装着されるカバー本体と、前記カバー本体に設けられ、前記便蓋に固定し、さらに位置調整手段により前後方向に位置調整可能な位置に設けられたフックと、前記フックと係合するため前記便蓋の後方両側部に設けられた係合部材と、を備えたことを特徴とする便蓋カバー。
【発明の詳細な説明】
【技術分野】
【０００１】
本発明は、洋式便器の便蓋に着脱可能に装着して使用される便蓋カバーに関する。
【背景技術】
【０００２】
洋式便器は、床面に設置された便器本体と、使用者が着座するための便座（洗浄便座）と、便座の上面部分を保護する便蓋などによって構成されているが、近年、この便蓋を覆うために色々なデザインの便蓋カバーが開発されている。一方、使用者の嗜好を満たすために洋式便器のデザインも多様化し、従来は丸形であった便器本体や洗浄便座が角形化するなどの様々な変遷があり、それに対応できる便蓋カバーが提案されている（例えば、特許文献１参照。）。
【０００３】
その後、便器本体の形状は丸形のまま維持されているが、機能の多様化や従来に無いデザインを求める使用者の増加に伴って洗浄便座は進化し続けており、最近は、洗浄便座を構成する各部材間の隙間を小さくすることにより、一体感と高級感を醸し出したものが開発されている。このような便器は、洗浄便座の本体部と、使用者が着座する便座のカバーである便蓋との隙間が小さく、従来の便蓋カバーは装着できないことが多いため、それを解決する便蓋カバーも提案されている（例えば、特許文献２参照）。
【０００４】
一方、従来、洗浄便座と便器本体とタンクとが一体の洋式便器（以下、「便座一体式便器」という。）があるが、この便座一体式便器は、局部洗浄および便器洗浄を行うためのリモコンを備えたものが多い。このようなリモコンは、一般に、トイレ壁面に取り付けられており、リモコンから発せられた赤外線を、タンクに設けられた受光部で受光し、洗浄便座などを制御している。また、最近の便座一体式便器においては前記受光部がタンク上端に設けられているものがある（例えば、非特許文献１参照。）。
【０００５】
【特許文献１】実開平０５−２９４９６号公報
【特許文献２】特開２０００−３３３８７９号公報
【非特許文献１】東陶機器株式会社発行「ＴＯＴＯ総合カタログ２００６−２００７」、２００６年２月１日、ｐ１１７、ＣＥＳ９０５２Ｅ＃Ｎ１１
【発明の開示】
【発明が解決しようとする課題】
【０００６】
従来の洋式便器における便蓋は便座上に載置された状態にあり、デザイン的なチープさが生じていた。そこで、これを解消すべく、閉止状態にある便蓋が便座を包み込み、便器本体上には便蓋のみが載置されているようなデザインの洋式便器が開発されている。ところが、図１４に示すように、前述した洋式便器９０においては、洗浄便座９１を便蓋９２で覆うために便蓋９２の先端９２ａが便座９１の側面９１ａに接近した構造となっているので、特許文献１記載の「洋式便器の蓋用カバー」はこの洋式便器９０に対応することができない。なぜなら、特許文献１記載の「洋式便器の蓋用カバー」は面ファスナーおよび弾性ギャザーにより蓋用カバーを便蓋に固定する方式であるため、例えば、男性の小用時に便座および便蓋を自立させようとすると、これら面ファスナーおよび弾性ギャザーが便座と便蓋の隙間に介在することとなり、便座および便蓋を自立させることができないからである。
【０００７】
一方、非特許文献１記載の便座一体式便器においては、受光部がタンク上端に設けられているため、この便器で便座および便蓋を、前述したように自立させた場合、便蓋に装着される便蓋カバーと受光部の受光領域との隙間は殆ど余裕がない。従って、このような便座一体式便器に特許文献２記載の「便ふたカバー」を装着すると、この「便ふたカバー」受光部の受光領域を遮ってしまうため、リモコン操作が不能となることがある。また、便座一体式便器に特許文献１記載の「蓋用カバー」を装着した場合、この「蓋用カバー」は、その後部と便蓋とを、便蓋の底面を経由して面ファスナで固定するものであるため、「蓋用カバー」が便座に接触して、便蓋が自立しないことがある。
【０００８】
本発明が解決しようとする課題は、便蓋に対するフィット性に優れ、洗浄便座や便器の機能を損なうこともない、便蓋カバーを提供することにある。
【課題を解決するための手段】
【０００９】
本発明の便蓋カバーは、洋式便器の便蓋の上面を覆うように装着されるカバー本体と、前記カバー本体の後方両側部を便蓋の後方両側部に係合させるため前記カバー本体の裏面後部の両側部に付設された係合部材と、前記係合部材を便蓋に係止するため当該係合部材に弾性部材を介して取り付けられたフックと、を備えたことを特徴とする。このような構成とすれば、便蓋の上面にカバー本体を被せ、カバー本体の裏面後部の両側部にある係合部材を便蓋の後方両側部に係合させ、フックを便蓋の周縁部に引っ掛けることにより、カバー本体の裏面後部の両側部を便蓋の後方両側部に係止することができる。この場合、カバー本体の裏面後部の両側部は、係合部材を介して、弾性部材の張力によって便蓋の後方両側部に係止されるため、便蓋カバーは便蓋にフィットした状態で装着され、洗浄便座や便器の機能を損なうこともない。
【００１０】
この場合、前記カバー本体の裏面後縁部に沿って帯状の弾性部材を付設すれば、当該便蓋カバーを便蓋に装着したとき、帯状の弾性部材によってカバー本体の後縁部に収縮力を発生させ、便蓋に対する把持力を増大させることが可能となるため、便蓋に対する便蓋カバーのフィット性が向上する。
【００１１】
また、本発明の便蓋カバーは、  洋式便器の便座を覆うタイプの便蓋に装着される便蓋カバーであって、前記便蓋の上面を覆うように装着されるカバー本体と、前記カバー本体の前縁部で便蓋の前縁部を包み込み前記カバー本体の前縁部を前記便蓋の前縁部裏面に沿って係止するため当該カバー本体の前縁部に沿って付設された弾力的復元性を有するフィット部材と、を備えたことを特徴とする。このような構成とすれば、便蓋の上面を覆うように装着したカバー本体の前縁部で便蓋の前縁部を包み込み、当該カバー本体の前縁部に沿って付設された弾力的復元性を有するフィット部材を便蓋の前縁部裏面に沿って係止すれば、フィット部材の復元力により、カバー本体の前縁部が便蓋の前縁部に係止される。このため、便蓋の形状に左右されず、便蓋カバーを便蓋にフィットさせることができる。また、カバー本体の前縁部が下方に垂下しないので、便座を覆うタイプの便蓋に対するフィット性も良好である。
【００１２】
さらに、本発明の便蓋カバーは、洋式便器の便蓋の上面を覆うように装着されるカバー本体と、前記カバー本体の後方両側部を便蓋の後方両側部に係合させるため前記カバー本体の裏面後部の両側部に付設された係合部材と、前記係合部材を便蓋に係止するため当該係合部材に弾性部材を介して取り付けられたフックと、
前記カバー本体の裏面後縁部に沿って付設された帯状の弾性部材と、
前記カバー本体の前縁部を便蓋の前縁部裏面に係止するため当該カバー本体の前縁部に沿って付設された弾力的復元性を有するフィット部材と、を備えたことを特徴とする。このような構成とすれば、カバー本体の裏面後部の両側部に付設された係合部材に弾性部材を介して取り付けられたフックと、カバー本体の裏面後縁部に沿って付設された帯状の弾性部材と、カバー本体の前縁部に沿って付設された弾力的復元性を有するフィット部材という、３つの係止手段によってカバー本体が便蓋に係止されるため、当該便蓋カバーは便蓋に対して安定した状態に装着される。また、便蓋の形状に左右されず、カバー本体を便蓋にフィットさせることができるので、便座を覆うタイプの便蓋に対するフィット性も良好である。
【００１３】
次に、本発明の便蓋カバーは、洋式便器の便蓋を上面側から覆うように装着されるカバー本体と、前記カバー本体の裏面の後部および側部にその基端を位置変更可能に取り付けられた伸縮可能または長さ変更可能な係止部材と、前記係止部材の先端に取り付けられたフックと、を備えたことを特徴とする。このような構成とすれば、カバー本体の裏面の後部および側部に位置変更可能に取り付けられたフック付きの係止部材を用いて当該カバー本体を便蓋に係止することが可能となるため、便蓋の形状の違いに対する適応性が高まり、フィット性が良好であり、洗浄便座や便器の機能を損なうこともない。
【００１４】
また、本発明の便蓋カバーは、洋式便器の便蓋を上面側から覆うように装着されるカバー本体と、前記カバー本体の裏面の後部および側部にその基端部を位置変更可能に取り付けられた伸縮可能または長さ変更可能な係止部材と、前記係止部材の先端に取り付けられたフックと、
前記カバー本体の前縁部を便蓋の前縁部裏面に係止するため当該カバー本体の前縁部に沿って付設された弾力的復元性を有するフィット部材と、を備えたことを特徴とする。このような構成とすれば、カバー本体の裏面の後部および側部に位置変更可能に取り付けられたフック付きの係止部材と、カバー本体の前縁部に沿って付設された弾力的復元性を有するフィット部材とを用いて、当該カバー本体を便蓋に係止することが可能となるため、便蓋の形状の違いに対する適応性が高く、フィット性も良好であり、洗浄便座や便器の機能を損なうこともない。また、便座を覆うタイプの便蓋に対するフィット性にも優れている。
【００１５】
さらに、本発明の便蓋カバーは、洋式便器の便蓋の上面を覆うように装着されるカバー本体と、前記カバー本体に設けられ、前記便蓋に固定し、さらに位置調整手段により前後方向に位置調整可能な位置に設けられたフックと、前記フックと係合するため前記便蓋の後方両側部に設けられた係合部材と、を備えたことを特徴とする。このような構成とすれば、前記係合部材を、カバー本体ではなく、便蓋に設けることが可能となり、便蓋の形状の違いに対する適応性が高まり、フィット性も良好であり、洗浄便座や便器の機能を損なうこともない。また、便座を覆うタイプの便蓋に対するフィット性にも優れている。
【発明の効果】
【００１６】
本発明により、便蓋に対するフィット性に優れ、洗浄便座や便器の機能を損なうこともない、便蓋カバーを提供することができる。
【発明を実施するための最良の形態】
【００１７】
以下、図面に基づいて本発明の実施の形態について説明する。図１は本発明の第１実施形態である便蓋カバーを示す表面図、図２は図１に示す便蓋カバーの裏面図、図３は図２のＡ−Ａ線における一部省略断面図、図４は図１に示す便蓋カバーを便蓋に装着した状態を示す一部切欠斜視図、図５は図１に示す便蓋カバーが装着された便蓋を裏面側から見た斜視図、図６は図１に示す便蓋カバーが装着された便蓋の一部切欠側面図である。
【００１８】
図１〜図４に示すように、本実施形態の便蓋カバー１０は、洋式便器１の便蓋２の上面を覆うように装着されるカバー本体１０ａと、カバー本体１０ａの後方両側部を便蓋２の後方両側部に係合させるためカバー本体１０ａの裏面後部の両側部に付設された板状の係合部材１１と、これらの係合部材１１を便蓋２に係止するため当該係合部材１１にそれぞれ、幅広のゴムからなる弾性部材３ａ，３ｂを介して取り付けられたフック４と、カバー本体１０ａの後縁部１０ｄ（図１においては上側）にしわが寄らないようにするためカバー本体１０ａの後縁部１０ｄに沿って付設された帯状の弾性部材５と、カバー本体１０ａの前縁部１０ｂ（図１においては下側）を便蓋２の前縁部２ａの裏面に係止するためカバー本体１０ａの前縁部１０ｂに沿って付設された弾力的復元性を有するフィット部材６と、を備えている。
【００１９】
カバー本体１０ａは厚手の布材で形成され、表面は起毛加工され、前縁部１０ｂおよび後縁部１０ｄを含む周縁部１０ｃ全体に縁取りが施されている。係合部材１１は合成樹脂板材で形成され、その外周部の一部がカバー本体１０ａの後縁部１０ｄ近傍に合致するように曲面形状となっており、この合致部分を縫製することによって固定されている。弾性部材３ａ，３ｂの基端は係合部材１１に縫い付け固定され、それぞれの先端には断面Ｊ字状をした板状のフック４が固定されている。フック４付きの弾性部材３ａ，３ｂは左右の係合部材１１に２つずつ設けられているが、図６に示すように、一方の弾性部材３ａの基端は係合部材１１の露出面に固定され、他方の弾性部材３ｂの基端は係合部材１１の背面（カバー本体１０ａの裏面と対向する面）に固定され、その先端側は係合部材１１に開設されたスリット１１ａを通って係合部材１１の露出面側へ垂下されている。これにより、弾性部材３ａが係合部材１１を便器側に押し付け、一方の弾性部材３ａが係合部材１１を便器から引き離す方向に作用させることにより、係合部材１１を適正な位置に配置することができる。
【００２０】
帯状の弾性部材５は幅広のゴムからなり、カバー本体１０ａの後縁部１０ｄに沿った状態で、カバー本体１０ａの後方両側部に渡って配置され、弾性部材５の長手方向の一方の辺縁部５ａをカバー本体１０ａの後縁部１０ｄおよびこれに続く周縁部１０ｃに合致させ、この合致部分を縫製することによって固定されている。この弾性部材５は係合部材１１を覆うように形成されている。そのため、弾性部材５が伸びる場合に係合部材１１が影響することがなく、装着感に影響がない。また、図３に示すように、フィット部材６は、ポリエチレン等の合成樹脂からなる細長い弾性薄板材で形成され、カバー本体１０ａの前縁部１０ｂ内において、カバー本体１０ａの端面処理のためのバイアステープ（図示せず）内に保護されるように配置されている。フィット部材６は便蓋２の前縁部２ａの曲率半径よりも大きな曲率半径で湾曲した形状であり、外力を加えると弾性変形し、外力を解除すると元の湾曲形状に復元する。
【００２１】
便蓋カバー１０を使用する場合、図４〜図６に示すように、便蓋２の上面にカバー本体１０ａを被せ、カバー本体１０ａの裏面後部の両側部にある係合部材１１を便蓋２の後方両側部に係合させ、フック４を便蓋２の側壁部２ｂの下端に引っ掛ければ、カバー本体１０ａの裏面後部の両側部を便蓋２の後方両側部に係止することができる。この後、カバー本体１０ａの前縁部１０ｂで便蓋２の前縁部２ａを包み込み、当該カバー本体１０ａの前縁部１０ｂに沿って付設された弾力的復元性を有するフィット部材６を、便蓋２の前縁部２ａの裏面側に曲げ込めば、フィット部材６の復元力により、カバー本体１０ａの前縁部１０ｂが便蓋２の前縁部２ａに係止され、装着が完了する。
【００２２】
便蓋カバー１０を便蓋２に装着した場合、カバー本体１０ａの裏面後部の両側部は、係合部材１１を介して、弾性部材３ａ，３ｂの張力によって便蓋２の後方両側部に係止されるため、図４に示すように、便蓋カバー１０は便蓋２にフィットした状態で装着され、洗浄便座７側面と便蓋２との隙間がほとんどない場合でも、便蓋２が自立することができ、洗浄便座７や洋式便器１の機能を損なうこともない。
【００２３】
また、便蓋カバー１０においては、カバー本体１０ａの後縁部１０ｄに沿って帯状の弾性部材５を付設しているため、当該便蓋カバー１０を便蓋２に装着したとき、この弾性部材５によってカバー本体１０ａの後縁部１０ｄに収縮力が発生し、便蓋２に対する把持力が増大するため、便蓋２に対する便蓋カバー１０のフィット性に優れ、さらに、ごわつき感も解消できる。
【００２４】
さらに、カバー本体１０ａの前縁部１０ｂに沿って付設されたフィット部材６が弾性力を有する樹脂材料であることにより、カバー本体１０ａの前縁部１０ｂが便蓋２の前縁部２ａの裏面に確実に係止されため、便蓋２の形状に左右されず、便蓋カバー１０を便蓋２にフィットさせることができる。また、カバー本体１０ａの前縁部１０ｂが下方に垂下しないので、例えば、図７に示す洋式便器１ｘのように、便座７ｘを覆うタイプの便蓋２ｘに対するフィット性も良好であるほか、洋式便器１ｘ上面と便蓋カバー１０との接触を回避することができるため、衛生的である。
【００２５】
次に、図８，図９を参照して、本発明の第２実施形態について説明する。図８は本発明の第２実施形態である便蓋カバーを示す裏面図、図９は図８に示す便蓋カバーが装着された便蓋を便蓋の裏面側から見た図である。なお、図８，図９において、図１〜図７に示す符号と同じ符号を付している部分は、便蓋カバー１０の構成部分と同じ機能、効果を有する部分であり説明を省略する。
【００２６】
図８および図９に示すように、本実施形態の便蓋カバー４０は、洋式便器の便蓋２ｙを上面側から覆うように装着されるカバー本体４０ａと、カバー本体４０ａの裏面の後縁部４０ｄおよび側縁部４０ｃに、その基端をスライド部材４１を介して位置変更可能に取り付けられた伸縮可能な係止部材４２，４３と、係止部材４３の先端に取り付けられたフック４４と、を備えている。２つの係止部材４２は、ベルポーレと同様な、いずれも環状をなし、舌辺状の差し込み補助具４５が、係止部材４２に沿って移動可能に取り付けられている。２つの係止部材４３も環状をなし、鈎状のフック４４が係止部材４３に沿って移動可能に取り付けられている。カバー本体４０ａの前縁部４０ｂは伸縮可能な弾性部材で形成されている。
【００２７】
便蓋カバー４０を洋式便器の便蓋２ｙに装着するときは、図９に示すように、便蓋２ｙを上面側から覆うようにカバー本体４０を取り付け、前縁部４０ｂを便蓋２ｙの前縁部裏面に巻き込み、便蓋２ｙの裏面において、左右のフック４４をそれぞれ左右の係止部材４２に引っ掛ければ装着が完了する。この場合、係止部材４２，４３の基端部は、スライド部材４１のストッパ４１ａを矢印方向へ押圧してロックを解除すれば、それぞれのレール４１ｂに沿って移動可能であるため、便蓋２ｙのデザインや形状などに合わせて、適切な位置にセットすることができる。このため、便蓋２ｙの形状の違いに対する適応性が高く、フィット性が良好であり、洗浄便座や便器の機能を損なうこともない。
【００２８】
なお、２つの係止部材４２には、それぞれ舌辺状の差し込み補助具４５が取り付けられているため、図９に示すように、洗浄便座の本体部４６と便蓋２ｙの後縁部との隙間Ｓが狭い場合も、差し込み補助具４５を隙間Ｓに差し込むことにより係止部材４２を便蓋２ｙの裏面側へ回すことができ、装着性が良好である。その他の作用効果は便蓋カバー１０，２０，３０と同様である。
【００２９】
次に、図１０〜図１３を参照して、本発明の第３実施形態について説明する。図１０は本発明の第３実施形態である便蓋カバーを示す裏面図、図１１は図１０に示す便蓋カバーの装着手順を示す部分斜視図、図１２は図１１の矢線Ｘ方向における部分斜視図、図１３は図１０に示す便蓋カバーが装着された状態を示す部分斜視図である。
【００３０】
図１０〜図１３に示すように、本実施形態の便蓋カバー５０は、洋式便器の便蓋２の上面を覆うように装着されるカバー本体５０ａと、カバー本体５０ａの後方の両側部５０ｂをそれぞれ便蓋２の後方の側壁部２ｂに係止するため、カバー本体５０ａの後方の両側部５０ｂの裏面、ベルクロテープなどの面ファスナー５０ｃ，５１ｃを介して着脱可能に取り付けられた断面Ｊ字状をした板状のフック５１と、を備えている。カバー本体５０ａ裏面に固定された面ファスナー５０ｃの面積は、フック５１に固定された面ファスナー５１ｃの面積より広いので、フック５１は面ファスナー５０ｃの範囲内で、洋式便器の便蓋２のサイズに合わせて、その取り付け位置や取り付け姿勢を変更することができる。
【００３１】
また、便蓋カバー５０のフック５１を、便蓋２の後方の側壁部２ｂの所定位置に、動かないように係止するため、側壁部２ｂの裏面にそれぞれ突起部５２が設けられている。突起部５２は、図１２に示すように、フック５１の幅と略同等に配置された一対の挟持部５２ａと、フック５１の返し５１ａを係合させるための段差部５２ｂと、を備えている。本実施形態では、突起部５２は便蓋２と一体的に形成されているが、これらを別々に形成した後、貼り合わせることもできる。
【００３２】
図１０に示すように、カバー本体５０ａは厚手の布材で形成され、表面は起毛加工され、前縁部５０ｄおよび後縁部５０ｅを含む周縁部５０ｆ全体に縁取りが施されている。フック５１は合成樹脂材で形成され、そのＪ字状に湾曲した先端部５１ｂを、便蓋２の側壁部２ｂの裏面の突起部５２の段差部５２ｂにそれぞれ着脱可能に係合することによって、カバー本体５０ａの後方の両側部５０ｂを便蓋２後方の左右の側壁部２ｂにそれぞれ装着することができる。
【００３３】
便蓋カバー５０を使用する場合、便蓋２の上面にカバー本体５０ａを被せ、カバー本体５０ａの後方の両側部５０ｂにあるフック５１を便蓋２の側壁部２ｂの突起部５２に係合させれば、図１３に示すように、カバー本体５０ａ後方の両側部５０ｂを便蓋２後方の側壁部２ｂにそれぞれ係止することができる。この後、カバー本体５０ａの前縁部５０ｄで便蓋２の前縁部を包み込み、当該カバー本体５０ａの前縁部５０ｄに沿って付設された弾力的復元性を有するフィット部材６を、便蓋２の前縁部の裏面側に曲げ込めば、フィット部材６の復元力により、カバー本体５０ａの前縁部５０ｄが便蓋２の前縁部に係止され、装着が完了する。
【００３４】
便蓋カバー５０を便蓋２に装着した場合、カバー本体５０ａ後部の両側部５０ｂは、フック５１を介して、便蓋２後方の側壁部２ｂに係止されるため、図４で示した便蓋カバー１０と同様、便蓋カバー５０は便蓋２にフィットした状態で装着され、洗浄便座７や洋式便器１の機能を損なうこともない。
【００３５】
前述したように、カバー本体５０ａの面ファスナー５０ｃは、フック５１の面ファスナー５１ｃより広いので、フック５１は面ファスナー５０ｃの範囲内で、その取り付け位置や取り付け姿勢を変更することができる。このため、便蓋２の種類により、その側壁部２ｂの形状が若干異なっていても、フック５１の取り付け位置や取り付け姿勢を変更することによって対応することができる。また、フック５１は、カバー本体５０ａに着脱可能であるため、便蓋２の側壁部２ｂの肉厚などに応じて適切なサイズ、形状のものを選択的に取り付けることもできる。さらに、カバー本体５０ａを洗濯する際に取り外したり、フック５１が劣化した際に交換したりすることもできる。
【産業上の利用可能性】
【００３６】
本発明の便蓋カバーは、一般家庭のトイレなどに設置されている洋式便器に装着して広く利用することができる。
【図面の簡単な説明】
【００３７】
【図１】本発明の第１実施形態である便蓋カバーを示す表面図である。
【図２】図１に示す便蓋カバーの裏面図である。
【図３】図２のＡ−Ａ線における一部省略断面図である。
【図４】図１に示す便蓋カバーを便蓋に装着した状態を示す一部切欠斜視図である。
【図５】図１に示す便蓋カバーが装着された便蓋を裏面側から見た斜視図である。
【図６】図１に示す便蓋カバーが装着された便蓋の一部切欠側面図である。
【図７】図１に示す便蓋カバーを他の型式の便蓋に装着した状態を示す一部切欠斜視図である。
【図８】本発明の第２実施形態である便蓋カバーを示す裏面図である。
【図９】図８に示す便蓋カバーが装着された便蓋を裏面側から見た図である。
【図１０】本発明の３実施形態である便蓋カバーを示す裏面図である。
【図１１】図１０に示す便蓋カバーの装着手順を示す部分斜視図である。
【図１２】図１１の矢線Ｘ方向における部分斜視図である。
【図１３】図１０に示す便蓋カバーが装着された状態を示す部分斜視図である。
【図１４】従来の便座と便蓋の隙間を示す斜視図である。
【符号の説明】
【００３８】
１，１ａ  洋式便器
２，２ｘ，２ｙ  便蓋
２ａ  前縁部
２ｂ  側壁部
３ａ，３ｂ，５  弾性部材
４  フック
５ａ  辺縁部
６  フィット部材
７，７ｘ  便座
１０，２０，４０，５０  便蓋カバー
１０ａ，４０ａ，５０ａ  カバー本体
１０ｂ，４０ｂ，５０ｄ  前縁部
１０ｃ，５０ｆ  周縁部
１０ｄ，４０ｄ，５０ｅ  後縁部
１１  係合部材
１１ａ  スリット
４０ｃ  側縁部
４１  スライド部材
４１ａ  ストッパ
４１ｂ  レール
４２，４３  係止部材
４４，５１  フック
４５  差し込み補助具
４６  本体部
５０ｂ  側部
５１ａ  返し
５１ｂ  先端部
５０ｃ，５１ｃ  面ファスナー
５２  突起部
５２ａ  挟持部
５２ｂ  段差部
Ｓ  隙間
Ｘ  矢線
【図１】
0004826317.tif 000002
【図２】
0004826317.tif 000003
【図３】
0004826317.tif 000004
【図４】
0004826317.tif 000005
【図５】
0004826317.tif 000006
【図６】
0004826317.tif 000007
【図７】
0004826317.tif 000008
【図８】
0004826317.tif 000009
【図９】
0004826317.tif 000010
【図１０】
0004826317.tif 000011
【図１１】
0004826317.tif 000012
【図１２】
0004826317.tif 000013
【図１３】
0004826317.tif 000014
【図１４】
0004826317.tif 000015